(57)【要約】【課題】哺乳瓶等の容器の内面等を十分に洗浄できると共に、洗浄用部材が略水平面に接触しない態様で洗浄具を略水平面の上に載置できて衛生的である洗浄具を提供する。【解決手段】本発明の洗浄具１は、軸体３と、軸体の一端側に取り付けられた洗浄用部材２と、軸体の他端側から延設された連結部４と、連結部における軸体の長さ方向の延長線上にない部位に回転可能に取り付けられた把持部５と、を備え、把持部５における連結部側とは反対側に脚部５２が設けられ、洗浄具１は、脚部５２を略水平面の上に載置した状態で鉛直方向に立てた状態にすることができるものとなされた構成とする。【選択図】図１
2016097211.tif 000002
【特許請求の範囲】
【請求項１】
軸体と、
前記軸体の一端側に取り付けられた洗浄用部材と、
前記軸体の他端側から延設された連結部と、
前記連結部における前記軸体の軸線方向の延長線上に位置しない部位に回転可能に取り付けられた把持部と、を備えた洗浄具であって、
前記把持部における前記連結部側とは反対側に脚部が設けられ、
前記洗浄具は、前記脚部を略水平面の上に載置した状態で鉛直方向に立てた状態にすることができることを特徴とする洗浄具。
【請求項２】
前記把持部は、上部から脚部に向けて末広がり状に拡がる形状に構成されている請求項１に記載の洗浄具。
【請求項３】
前記把持部は、脚部を底面側とする略円錐形状に形成されている請求項２に記載の洗浄具。
【請求項４】
前記把持部の脚部は、下面視において、脚部の底面の略円形の縁部の少なくとも１箇所から略水平方向の外方に向けて延ばされた爪部が設けられている請求項３に記載の洗浄具。
【請求項５】
前記把持部は、脚部を底面側とする略多角錐形状に形成されている請求項２に記載の洗浄具。
【請求項６】
前記脚部を略水平面の上に載置して前記洗浄具を立てた状態において、前記軸体の軸線方向は、該軸体の前記他端側から一端側に向けて前記把持部の回転の軸線方向に近づくように構成されている請求項１〜５のいずれか１項に記載の洗浄具。
【請求項７】
前記洗浄具は、哺乳瓶用洗浄具である請求項１〜６のいずれか１項に記載の洗浄具。
【発明の詳細な説明】
【技術分野】
【０００１】
本発明は、ほ乳瓶用洗浄具として好適に用いられる洗浄具に関する。
【０００２】
なお、本明細書において、「上」の語は、図１に示すように、洗浄具を、その脚部を略水平面の上に載置して全体を鉛直方向に立てた状態における上方を意味し、一方、「下」の語は、図１に示すように、洗浄具を、その脚部を略水平面の上に載置して全体を鉛直方向に立てた状態における下方を意味するものである。
【背景技術】
【０００３】
従来、哺乳瓶用洗浄具としては、哺乳瓶内部へ投入される投入部材と、該投入部材と共に哺乳瓶内部へ投入されるために前記投入部材に設けられ、長手方向に沿う突条部を有する繊維からなる刷毛部と、を備えた構成のものが公知である（特許文献１参照）。この哺乳瓶用洗浄具を哺乳瓶の内部へ投入して、哺乳瓶を揺することによって刷毛部により哺乳瓶の内面を洗浄することができる。
【先行技術文献】
【特許文献】
【０００４】
【特許文献１】特願２００７−２８９５７９号公報
【発明の概要】
【発明が解決しようとする課題】
【０００５】
しかしながら、上記特許文献１に記載の洗浄具では、哺乳瓶を揺することによって哺乳瓶の内面に接触した刷毛部により内面を洗浄するものであるので、哺乳瓶の内面を十分に洗浄することができないという難点があった。
【０００６】
また、哺乳瓶やコップ等を洗浄する場合には、複数本まとめて洗浄する場合も多い。この際に１個洗浄する毎にすすぎ作業を行うケースが多く、すすぎ作業を行う時には洗浄具を一旦水平台の上に載置しておくことになるが、特に哺乳瓶洗浄の場合には衛生面から洗浄部材を水平台の表面に接触することは回避したいという要請がある。しかるに、上記従来の洗浄具では、洗浄具を水平台の上に載置すると、刷毛部が水平台の表面に接触するので、衛生的であるとは言い難い。
【０００７】
本発明は、かかる技術的背景に鑑みてなされたものであって、哺乳瓶等の容器の内面等を十分に洗浄できると共に、洗浄用部材が略水平面に接触しない態様で洗浄具を略水平面の上に載置できて衛生的である洗浄具を提供することを目的とする。
【課題を解決するための手段】
【０００８】
前記目的を達成するために、本発明は以下の手段を提供する。
【０００９】
［１］軸体と、
前記軸体の一端側に取り付けられた洗浄用部材と、
前記軸体の他端側から延設された連結部と、
前記連結部における前記軸体の軸線方向の延長線上に位置しない部位に回転可能に取り付けられた把持部と、を備えた洗浄具であって、
前記把持部における前記連結部側とは反対側に脚部が設けられ、
前記洗浄具は、前記脚部を略水平面の上に載置した状態で鉛直方向に立てた状態にすることができることを特徴とする洗浄具。
【００１０】
［２］前記把持部は、上部から脚部に向けて末広がり状に拡がる形状に構成されている前項１に記載の洗浄具。
【００１１】
［３］前記把持部は、脚部を底面側とする略円錐形状に形成されている前項２に記載の洗浄具。
【００１２】
［４］前記把持部の脚部は、下面視において、脚部の底面の略円形の縁部の少なくとも１箇所から略水平方向の外方に向けて延ばされた爪部が設けられている前項３に記載の洗浄具。
【００１３】
［５］前記把持部は、脚部を底面側とする略多角錐形状に形成されている前項２に記載の洗浄具。
【００１４】
［６］前記脚部を略水平面の上に載置して前記洗浄具を立てた状態において、前記軸体の軸線方向は、該軸体の前記他端側から一端側に向けて前記把持部の回転の軸線方向に近づくように構成されている前項１〜５のいずれか１項に記載の洗浄具。
【００１５】
［７］前記洗浄具は、哺乳瓶用洗浄具である前項１〜６のいずれか１項に記載の洗浄具。
【発明の効果】
【００１６】
［１］の発明では、連結部における軸体の軸線方向の延長線上に位置しない部位に回転可能に取り付けられた把持部を備えているから、図５に示すように、哺乳瓶等の容器を一方の手で持ち、容器の中に洗浄具の洗浄用部材を挿入し、他方の手で該洗浄具の把持部をつかんで軸体の軸線方向の延長線（仮想延長線）Ｍを中心にしてそのまわりで把持部を周回させることにより、連結部に連結された軸体がほぼその位置で回転（自転）し、これにより軸体に連結されている洗浄用部材も回転（自転）するので、哺乳瓶等の容器の内面を十分に洗浄して汚れ、付着物等を十分に除去することができる。
【００１７】
更に、把持部における連結部側とは反対側に脚部が設けられ、洗浄具は、この脚部を略水平面の上に載置した状態で鉛直方向に立てた状態にすることができるので、即ち洗浄用部材が略水平面に接触しない態様で洗浄具を略水平面の上に立てた状態にすることができるので、哺乳瓶等の容器を１個洗浄する毎にすすぎ作業を行う時には、洗浄具を一旦略水平面（置き場所）の上に鉛直方向に立てた状態にすることで、洗浄用部材が略水平面（置き場所）に接触することを回避できて、洗浄作業を衛生的に行うことができる。
【００１８】
［２］の発明では、把持部は、上部から脚部（下部）に向けて末広がり状に拡がる形状に構成されているので、洗浄具を略水平面の上に立てた状態にした際に安定状態に立てることができる。
【００１９】
［３］の発明では、把持部が略円錐形状に形成されているので、洗浄具を略水平面の上に立てた状態にした際により安定状態に立てることができる。
【００２０】
［４］の発明では、把持部の脚部は、下面視において、脚部の底面の略円形の縁部の少なくとも１箇所から略水平方向の外方に向けて延ばされた爪部が設けられており、脚部が大径化し、洗浄具を略水平面の上に立てた状態にした際により倒れにくくすることができると共に、把持部を手でつかんで周回させる時に爪部の出っ張りにより、把持部を手でしっかりとつかむ（握る）ことができて（即ち手が滑らないものとなり）、回転操作がし易くなる利点がある。
【００２１】
［５］の発明では、把持部は、脚部を底面側とする略多角錐形状に形成されているので、洗浄具を略水平面の上に立てた状態にした際により安定状態に立てることができる。前記略多角錐形状としては、例えば略三角錐形状、略四角錐形状、略五角錐形状、略六角錐形状、略八角錐形状等が挙げられる。
【００２２】
［６］の発明では、脚部を略水平面の上に載置して前記洗浄具を立てた状態において、軸体の軸線方向は、該軸体の前記他端側（下方側）から一端側（上方側）に向けて把持部の回転の軸線方向に近づく構成であるので、略水平面の上に立てた状態の洗浄具においてその重心をより中央側に寄せることができ、より一層倒れにくくすることができる。
【００２３】
［７］の発明では、衛生的に洗浄できる哺乳瓶用洗浄具が提供される。
【図面の簡単な説明】
【００２４】
【図１】本発明に係る洗浄具の一実施形態を水平面に鉛直に立てた状態で示す正面図である。
【図２】図１の洗浄具を示す底面図である。
【図３】図１におけるＸ−Ｘ線の断面図である。
【図４】図１の洗浄具を分離した状態で示す平面図である。
【図５】本発明の洗浄具を哺乳瓶の洗浄に使用している状態を示す斜視図である。
【図６】本発明に係る洗浄具の他の実施形態を水平面に鉛直に立てた状態で示す正面図である。
【発明を実施するための形態】
【００２５】
本発明に係る洗浄具１の一実施形態（第１実施形態）を図１〜３に示す。この洗浄具１は、洗浄用部材２と、軸体３と、連結部４と、把持部５と、を備えている。
【００２６】
前記洗浄具１では、前記軸体３の長さ方向の一端部（上端部）３１に洗浄用部材２が取り付けられ、前記軸体３の長さ方向の他端部（下端部）３２に連結部４が設けられている（図１参照）。
【００２７】
前記連結部４は、前記軸体３の長さ方向の他端部に連接された略円弧状の湾曲部４１と、該湾曲部４１の先端から下方に向けて延ばされた回転軸芯４２と、該回転軸芯４２の下端に形成された係合用突起部４３とを備えている（図３参照）。前記連結部４と前記軸体３は、樹脂の一体成形品からなる。
【００２８】
前記回転軸芯４２の軸線方向と、前記軸体３の軸線方向は、略平行状である。また、前記洗浄具１を水平面に対し鉛直方向に立てた状態において、前記回転軸芯４２の軸線方向は、前記水平面に対する垂線（鉛直線）に略平行状である（図１、３参照）。前記係合用突起部４３は、回転軸芯４２の先端側（下端側）の直径よりも少し径大の直径を備えた突起部である。
【００２９】
前記把持部５は、連結部側の本体部５１と、該本体部５１から下方に延ばされた脚部５２とを備える。前記把持部５は、上部から（連結部側から）下部（脚部５２）に向けて末広がり状に拡がる形状に構成されている。本実施形態では、前記把持部５は、脚部５２を底面側とする略円錐形状に形成されている（図１参照）。
【００３０】
前記本体部５１の上面には円形状の開口部が形成されており、該開口部は、前記回転軸芯４２を挿通し得る大きさに設計されている（図３参照）。前記本体部５１の内部には、前記開口部に連通する管状の受容管部５６が下方に向けて延ばされている（図３参照）。前記受容管部５６の下端部に内方に向けて突出する係止部５６ａが設けられている。
【００３１】
前記脚部５２には、下面視において、脚部５２の底面の略円形の縁部の４箇所から略水平方向の外方に向けて爪部５３が突設されている（図２参照）。洗浄具１を略水平面の上に鉛直方向に立てるときには前記爪部５３が略水平面に当接する（図１参照）。
【００３２】
図１〜３において、５５は、吊り下げ用孔であり、例えばフックに把持部５の吊り下げ用孔５５を引っ掛けることにより、洗浄具１をフックから吊り下げて乾燥、保管することができる。
【００３３】
前記洗浄用部材２は、図４に示すように、第１スポンジ部２１と、第２スポンジ部２２と、第３スポンジ部２３と、連結スポンジ部２４と、を備える。
【００３４】
前記第１スポンジ部２１は、平面視略矩形状であり、長さ方向の一端部の中央部に受容凹部２１ａが形成されている。また、前記第１スポンジ部２１における前記受容凹部２１ａの近傍位置に孔２１ｂが形成されている（図４参照）。
【００３５】
前記第２スポンジ部２２及び第３スポンジ部２３は、平面視略矩形状であり、前記第１スポンジ部２１とほぼ同じ大きさである。これら第２スポンジ部２２及び第３スポンジ部２３は、互いに長さ方向の一端部同士が前記連結スポンジ部２４を介して連接されており、これら３つのスポンジ部２２、２３、２４は、一体成形されて、長尺スポンジ材２９が構成されている（図４参照）。前記第２スポンジ部２２における連結スポンジ部２４の近傍位置に孔２２ｂが形成され、前記第３スポンジ部２３における連結スポンジ部２４の近傍位置に孔２３ｂが形成されている（図４参照）。
【００３６】
一方、前記軸体３の一端部（上端部）３１に略Ｙ字状部材が連接されている。即ち、図４に示すように、前記軸体３の一端部（上端部）３１から右斜め上方に向けて第１挟着片２５が分岐して延ばされると共に、前記軸体３の一端部（上端部）３１から左斜め上方に向けて第２挟着片２６が分岐して延ばされている。前記第２挟着片２６の先端部側に貫通孔２８が形成されている。また、前記第１挟着片２５の先端部側に内方に向けて（第２挟着片２６側に向けて）延びる連結棒２７が設けられている。
【００３７】
しかして、前記長尺スポンジ材２９を、第２スポンジ部２２と第３スポンジ部２３が重なり合うように連結スポンジ部２４で２つ折りすると共に、第２スポンジ部２２と第３スポンジ部２３の間に前記第１スポンジ部２１を挟み込み、このような重ね合わせ状態のスポンジ材を前記第１挟着片２５と前記第２挟着片２６の間の空間に挿入する。次いで、第２スポンジ部２２の孔２２ｂ、第１スポンジ部２１の孔２１ｂおよび第３スポンジ部２３の孔２３ｂを一致させておいて、これら孔２３ｂ、２１ｂ、２２ｂに前記第１挟着片２５の先端の連結棒２７を挿入した後、該連結棒２７を前記第２挟着片２６の貫通孔２８に強く押し込むことによって、連結棒２７の先端の係止用凸部２７ａを前記貫通孔２８の係止用凹部２８ａに係止せしめることによって、前記洗浄用部材２を前記軸体３の一端部（上端部）３１に連結固定する（図１参照）。
【００３８】
また、前記連結部４の回転軸芯４２を、前記把持部５の本体部５１の上面の開口部内に挿通せしめて、回転軸芯４２を受容管部５６内に押し込んでいくことによって、回転軸芯４２の下端の係合用突起部４３を、受容管部５６の下端開口部の縁部に係合せしめる（図３参照）。即ち、前記係合用突起部４３を前記受容管部５６の下端の係止部５６ａに係合せしめることによって、前記連結部４と前記把持部５とが連結される。こうして、図１に示すような洗浄具１が構成される。この洗浄具１では、前記連結部４における軸体３の長さ方向（軸線方向）の延長線（仮想延長線）Ｍ上に存在しない部位（回転軸芯４２）に把持部５が回転可能に取り付けられている（図５参照）。前記把持部５は、前記連結部４の回転軸芯４２に支持され、該回転軸芯４２を中心にして回転（自転）させることができるものとなされている。
【００３９】
前記洗浄具１は、連結部４における軸体３の長さ方向（軸線方向）の延長線（仮想延長線）Ｍ上に存在しない部位（回転軸芯４２）に把持部５が回転可能に取り付けられているから、図５に示すように、哺乳瓶等の容器Ｋを一方の手Ｌで持ち、容器Ｋの中に洗浄具１の洗浄用部材２を挿入し、他方の手Ｒで洗浄具１の把持部５をつかんで軸体３の長さ方向（軸線方向）の延長線（仮想延長線）Ｍを中心にしてそのまわりで把持部５を周回させることにより、連結部４に連結された軸体３がほぼその位置で回転（自転）し、これにより軸体３に連結されている洗浄用部材２も回転（自転）するので、哺乳瓶等の容器Ｋの内面を十分に洗浄して汚れ、付着物等を十分に除去することができる。
【００４０】
また、把持部５における連結部４とは反対側に脚部５２が設けられていて、図１に示すように、洗浄具１は、この脚部５２を略水平面（置き場所）の上に載せて鉛直方向に立てた状態（洗浄具１の長さ方向が鉛直方向に略平行状になった状態）にすることができるので、即ち洗浄用部材２を略水平面（置き場所）に接触させない状態で洗浄具１を略水平面の上に置くことができるので、複数の容器Ｋを洗浄するに際し容器Ｋを１個洗浄する毎にすすぎ作業を行う時には洗浄具１を一旦略水平面（置き場所）の上に立てて載置することで、洗浄用部材２と略水平面との接触を回避した状態を確保できて、衛生的である。従って、特に衛生面での配慮が求められる哺乳瓶用洗浄具として好適である。
【００４１】
次に、本発明に係る洗浄具１の他の実施形態（第２実施形態）について図６を参照しつつ説明する。この第２実施形態は、洗浄部材２の構成および軸体３の傾斜方向が、上記第１実施形態と異なる以外は、第１実施形態の構成と同様である。
【００４２】
この第２実施形態では、軸体３の軸線方向が、連結部４側から洗浄部材２側に向けて（下方から上方に向けて）把持部５の回転の軸線方向Ｎ（回転軸芯４２の軸線方向Ｎ；略水平面に対する垂線Ｎ）に対して近づくように構成されている（図６参照）。
【００４３】
従って、図６に示すように、脚部５２を略水平面の上に載置して洗浄具１を鉛直方向に立てた状態において、軸体３の軸線方向は、連結部４側から洗浄部材２側に向けて（下方から上方に向けて）把持部５の自転の軸線方向Ｎ（略水平面に対する鉛直線Ｎ）に近づくように傾斜している。このような構成の採用により、略水平面の上に立てた状態の洗浄具１においてその全体の重心をより中央側に寄せることができ、より一層倒れにくくすることができる利点がある。
【００４４】
前記洗浄部材２は、先端側（上端側）の先端ブラシ部７１と、基端側（下端側）の基端側ブラシ部７３と、これら両ブラシ部に挟まれて配置されたスポンジ部７２とを備えている（図６参照）。ブラシ部７１、７３とスポンジ部７２の両方を備えているので、洗浄効果をさらに高めることができる。前記ブラシ部７１、７３は、２条の撚り合わされた針金７４、７５の間に多数の繊維７６が連続状に挟着固定されたブラシ部材からなり、長さ方向（上下方向）の中間部に前記スポンジ部７２が取り付けられている。前記洗浄部材２の前記撚り合わされた針金７４、７５が、前記軸体３の一端部（上端部）３１に埋設されることによって、洗浄部材２と樹脂製の軸体３とが連結されている。前記撚り合わされた針金７４、７５を加熱した状態で前記樹脂製軸体３の一端部３１に押し込むことによって針金７４、７５を前記一端部３１に埋入させることができる。
【００４５】
本発明において、前記洗浄部材２の構成は、上記例示の構成に特に限定されるものではない。また、前記把持部５の形状、構成も、上記例示の構成に特に限定されるものではない。また、前記連結部４に対して前記把持部５を回転可能に取り付けている構成、機構は、上記実施形態のものに特に限定されるものではなく、連結部４に対して前記把持部５を回転可能に取り付けたものであれば、いかなる構成、機構であってもよい。
【産業上の利用可能性】
【００４６】
本発明に係る洗浄具は、哺乳瓶用洗浄具として好適に用いられるが、特にこのような用途に限定されるものではなく、例えば、瓶、コップ、ポット、水さし等の容器の内面等を洗浄するのに使用できる。
【符号の説明】
【００４７】
１…洗浄具
２…洗浄用部材
３…軸体
４…連結部
５…把持部
５１…本体部（上部）
５２…脚部
５３…爪部
Ｋ…哺乳瓶
Ｍ…軸体の軸線方向の仮想延長線
【図１】
2016097211.tif 000003
【図２】
2016097211.tif 000004
【図３】
2016097211.tif 000005
【図４】
2016097211.tif 000006
【図５】
2016097211.tif 000007
【図６】
2016097211.tif 000008